(57)【要約】【課題】電動ズーム可能な交換レンズを装着されたとき、カメラ本体の機能を損なうことなく電動ズームをカメラ本体側から操作可能なカメラシステムを提供する。【解決手段】電動により光学像の倍率を変更可能なレンズユニット２００と、レンズユニット２００を着脱可能なボディマウント４２と、中立可能な操作部材１３３と、レンズユニット２００がボディマウント４２に装着された状態において、操作部材１３３の操作に応じて、電動により光学像の倍率を変更するようレンズユニット２００を制御するカメラコントローラ１４０とを有するカメラ本体１００と、を備えたカメラシステムである。【選択図】図３
2013101313.tif 000002
【特許請求の範囲】
【請求項１】
電動により光学像の倍率を変更可能なレンズユニットと、
前記レンズユニットを着脱可能なマウントと、中立可能なカメラ本体操作部と、前記レンズユニットが前記マウントに装着された状態において、前記カメラ本体操作部の操作に応じて、電動により光学像の倍率を変更するよう前記レンズユニットを制御するカメラ本体制御部とを有するカメラ本体と、
を備えたカメラシステム。
【請求項２】
光学像の倍率が固定である、または、手動により前記光学像の倍率を変更可能なレンズユニットと、
前記レンズユニットを着脱可能なマウントと、中立可能なカメラ本体操作部と、前記レンズユニットによる光学像を電気信号に変換して画像データを生成する撮像素子と、前記レンズユニットが前記マウントに装着された状態において、前記画像データの一部を切り出す電子ズーム処理を行うことが可能であり、前記カメラ本体操作部の操作に応じて、前記画像データの電子ズーム処理の倍率を連続的に変化させるよう制御するカメラ本体制御部とを有するカメラ本体と、
を備えたカメラシステム。
【請求項３】
前記カメラ本体は、前記レンズユニットによる光学像を電気信号に変換して画像データを生成する撮像素子を有し、
前記カメラ本体制御部は、前記画像データの一部を切り出す電子ズーム処理を行うことが可能であり、
前記カメラ本体制御部は、前記カメラ本体操作部の操作に応じて、電動により光学像の倍率を変更するよう前記レンズユニットを制御し、前記レンズユニットが光学望遠端に達した後、前記カメラ本体操作部の操作に応じて、前記画像データの電子ズーム処理の倍率を連続的に変化させるよう制御する、
請求項１記載のカメラシステム。
【請求項４】
前記カメラ本体は、選択スイッチと、モニタと、を備え、
前記モニタに光学像の倍率変更を含む複数の機能を示すマークを表示可能であって、前記選択スイッチの操作に応じて、前記複数の機能のうち１つを選択可能であり、
選択された機能を前記中立可能なカメラ本体操作部に割り当てる、
請求項１乃至３のいずれかに記載のカメラシステム。
【請求項５】
前記選択スイッチは、前記モニタ上に設けられたタッチパネルである、
請求項４に記載のカメラシステム。
【請求項６】
電動により光学像の倍率を変更可能なレンズユニットを装着可能なカメラ本体であって、
前記レンズユニットを着脱可能なマウントと、
中立可能なカメラ本体操作部と、
前記レンズユニットが前記マウントに装着された状態において、前記カメラ本体操作部の操作に応じて、電動により光学像の倍率を変更するよう前記レンズユニットを制御するカメラ本体制御部と、
を備えるカメラ本体。
【請求項７】
光学像の倍率が固定である、または、手動により前記光学像の倍率を変更可能なレンズユニットを装着可能なカメラ本体であって、
前記レンズユニットを着脱可能なマウントと、
中立可能なカメラ本体操作部と、
前記レンズユニットによる光学像を電気信号に変換して画像データを生成する撮像素子と、
前記レンズユニットが前記マウントに装着された状態において、前記画像データの一部を切り出す電子ズーム処理を行うことが可能であり、前記カメラ本体操作部の操作に応じて、前記画像データの電子ズーム処理の倍率を連続的に変化させるよう制御するカメラ本体制御部と、
を備えるカメラ本体。
【請求項８】
光学像の倍率が固定である、または、手動により前記光学像の倍率を変更可能なレンズユニットを装着可能であり、
前記レンズユニットによる光学像を電気信号に変換して画像データを生成する撮像素子を備え、
前記カメラ本体制御部は、光学像の倍率が固定である、または、手動により前記光学像の倍率を変更可能な前記レンズユニットが前記マウントに装着された状態において、前記画像データの一部を切り出す電子ズーム処理を行うことが可能であり、前記カメラ本体操作部の操作に応じて、前記画像データの電子ズーム処理の倍率を連続的に変化させる、請求項６記載のカメラ本体。
【発明の詳細な説明】
【技術分野】
【０００１】
本発明は、レンズ交換可能なレンズ交換式カメラシステム、カメラ本体に関する。
【背景技術】
【０００２】
近年、ＣＣＤ（Ｃｈａｒｇｅ  Ｃｏｕｐｌｅｄ  Ｄｅｖｉｃｅ）イメージセンサーやＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）イメージセンサーなどの撮像素子を用いて、被写体像を電気信号に変換し、この電気信号をデジタル化して記録するデジタルカメラが普及している。
【０００３】
レンズ交換可能ないわゆるデジタル一眼レフカメラや、デジタルレンジファインダカメラなどにおいても動画撮影が可能となってきている。しかしながら、これまでの静止画撮影を目的としたズーム式交換レンズは、手動による回転式、もしくは直進式の光学ズーム変倍操作となっているため、動画撮影中の滑らかな変倍操作や一定速度の変倍操作が極めて難しくなっている。
【０００４】
従って、快適なズーム式交換レンズの電動による光学ズーム変倍が望まれている。
特許文献１に記載された従来のカメラでは、交換レンズユニットが電動ズームに対応している場合には、カメラ本体に既存で電動ズーム以外の撮影機能を割り付けられた十字操作キーに電動ズーム操作機能が割り付けられ、また、交換レンズユニットが電動マニュアルフォーカスに対応している場合には、カメラ本体に既存で電動ズーム以外の撮影機能を割り付けられた十字操作キーにフォーカス操作機能が割り付けられるように制御が行われている。
【先行技術文献】
【特許文献】
【０００５】
【特許文献１】国際公開第２００９／０４１０６３号
【発明の概要】
【発明が解決しようとする課題】
【０００６】
しかしながら特許文献１の従来のカメラでは、電動ズームに対応した交換レンズユニットを装着した場合には、既存の十字操作キーに割当てられた機能を使うことができないという課題が発生する。
【０００７】
本開示は、電動ズームにより光学変倍可能な交換レンズが装着されたとき、カメラ本体の機能を損なうこと無しに電動ズームをカメラ本体側から操作することが可能なレンズ交換式のカメラシステム及びカメラ本体を提供する。
【０００８】
本開示は、光学像の倍率が固定である、または手動により光学像の倍率を変更可能な交換レンズが装着されたとき、カメラ本体の機能を損なうこと無しに電子ズームをカメラ本体側から操作することが可能なレンズ交換式のカメラシステム及びカメラ本体を提供する。
【課題を解決するための手段】
【０００９】
上記目的の１つは、以下のカメラシステムにより達成される。すなわち本開示は、
電動により光学像の倍率を変更可能なレンズユニットと、
レンズユニットを着脱可能なマウントと、中立可能なカメラ本体操作部と、レンズユニットがマウントに装着された状態において、前記カメラ本体操作部の操作に応じて電動により光学像の倍率を変更するよう前記レンズユニットを制御するカメラ本体制御部とを有するカメラ本体と、
を備えたカメラシステム
に関する。
【００１０】
上記目的の１つは、以下のカメラシステムにより達成される。すなわち本開示は、
光学像の倍率が固定である、または、手動により光学像の倍率を変更可能なレンズユニットと、
レンズユニットを着脱可能なマウントと、中立可能なカメラ本体操作部と、レンズユニットによる光学像を電気信号に変換して画像データを生成する撮像素子と、レンズユニットがマウントに装着された状態において、画像データの一部を切り出す電子ズーム処理を行うことが可能であり、カメラ本体操作部の操作に応じて、画像データの電子ズーム処理の倍率を連続的に変化させるよう制御するカメラ本体制御部とを有するカメラ本体と、
を備えたカメラシステム
に関する。
【発明の効果】
【００１１】
本開示におけるカメラシステム及びカメラ本体は、電動ズームにより光学変倍可能な交換レンズを装着されたとき、カメラ本体の機能を損なうこと無しにカメラ本体側から電動ズームを操作するのに有効である。
【００１２】
又、本開示におけるカメラシステム及びカメラ本体は、光学像の倍率が固定である、または手動により光学像の倍率を変更可能な交換レンズが装着されたとき、カメラ本体の機能を損なうこと無しにカメラ本体側から電子ズームを操作するのに有効である。
【図面の簡単な説明】
【００１３】
【図１】実施の形態１におけるカメラシステム１の斜視図
【図２】実施の形態１におけるカメラ本体１００の斜視図
【図３】実施の形態１におけるカメラシステム１のブロック図
【図４】実施の形態１におけるカメラシステム１の概略断面図
【図５】実施の形態１におけるカメラ本体１００の背面図
【図６】実施の形態１におけるカメラ本体１００の背面図
【図７】実施の形態１におけるカメラシステム２の概略断面図
【図８】実施の形態１におけるカメラシステム３の概略断面図
【図９】他の実施の形態におけるカメラ本体１００の背面図
【図１０】他の実施の形態におけるカメラ本体１００の背面図
【発明を実施するための形態】
【００１４】
以下、適宜図面を参照しながら、本開示の実施形態に係るカメラシステムおよびカメラ本体について説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
尚、発明者は、当業者が本開示を十分に理解するために添付図面および以下の説明を提供するのであって、これらによって特許請求の範囲に記載の主題を限定することを意図するものではない。
【００１６】
（実施の形態１）
[１：構成] 
[１−１：カメラシステムの概要] 
図１は、本開示の第１実施形態に係るカメラシステム１の斜視図である。カメラシステム１は、カメラ本体１００とカメラ本体１００に着脱可能なレンズユニット２００とから構成される。図２は、カメラ本体１００の斜視図である。図３は、カメラシステム１の機能ブロック図である。図４は、カメラシステム１の概略断面図である。また、図５は、カメラ本体１００の背面図である。
【００１７】
以下、各部の詳細について説明する。説明の便宜のため、カメラシステム１の被写体側を前、撮像面側を後ろ又は背、カメラシステム１の通常姿勢における鉛直上側を上、鉛直下側を下ともいう。
【００１８】
[１−２：カメラ本体の構成] 
カメラ本体１００は、主に、ＣＭＯＳイメージセンサー１１０と、ＣＭＯＳ回路基板１１３と、カメラモニタ１２０と、各種操作部１３１〜１３６と、カメラコントローラー１４０を含むメイン回路基板１４２と、ボディマウント４１と、電源１６０と、カードスロット１７０と、電子ビューファインダー１８０と、シャッターユニット１９０と、光学フィルタ１１４と、振動板１１５とを備える。なお、カメラ本体１００は、ミラーボックス装置を有していない。また、カメラ本体１００には、図３及び図４に示すように、前から順に、ボディマウント４１、シャッターユニット１９０、振動板１１５、光学フィルタ１１４、ＣＭＯＳイメージセンサー１１０、ＣＭＯＳ回路基板１１３、メイン回路基板１４２、カメラモニタ１２０が配置されている。
【００１９】
図３及び図４に示すＣＭＯＳイメージセンサー１１０は、レンズユニット２００を介して入射される被写体の光学像を撮像して画像データを生成する。ＣＭＯＳイメージセンサー１１０は、光電変換により電荷を蓄積可能な複数の画素が配列した光電変換層と、青色光のみを透過する青のカラーフィルターと緑色光のみを透過する緑のカラーフィルターと赤色光のみを透過する赤のカラーフィルターとが前記画素の前面に前記画素に１対１に対応して配列したカラーフィルター層とを有する。ＣＭＯＳイメージセンサー１１０は、青色のカラーフィルターが配置された画素からの信号、緑色のカラーフィルターが配置された画素からの信号、赤色のカラーフィルターが配置された画素からの信号をそれぞれ増幅することが可能である。ＣＭＯＳイメージセンサー１１０は、これらの信号に基づいて画像データを生成する。
【００２０】
生成された画像データは、図３に示すＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００２１】
ＣＭＯＳイメージセンサー１１０は、タイミング発生器１１２で制御されるタイミングで動作する（図３参照）。ＣＭＯＳイメージセンサー１１０は、静止画像の撮像動作、及び、動画像の撮像動作等を行う。動画像の撮影動作には、スルー画像の撮影動作が含まれる。ここで、スルー画像とは、動画像の撮像後、メモリーカード１７１にデータを記録しない画像である。スルー画像は、主に動画像であり、動画像または静止画像の撮影のための構図を決めるためにカメラモニタ１２０および／または電子ビューファインダー（以下、ＥＶＦとも言う）１８０に表示されるものである（図３及び図５参照）。また、動画像の撮影動作には、動画像の記録動作も含まれる。動画像の記録動作とは、動画像の撮影動作およびメモリーカード１７１に動画データを記録する動作を含む動作である。なお、ＣＭＯＳイメージセンサー１１０は被写体の光学像を撮像して電気的な画像信号に変換する撮像素子の一例である。撮像素子は、ＣＣＤイメージセンサー等を含む概念である。
【００２２】
図４に示すＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０からの画像データに所定の処理を施す回路基板である。ＣＭＯＳ回路基板１１３は、図３に示すタイミング発生器１１２を含む。また、ＣＭＯＳ回路基板１１３は、図３に示すＡＤコンバーター１１１を含む。ＣＭＯＳ回路基板１１３は、撮像素子を駆動制御し、および／または撮像素子からの画像データにＡＤ変換等の所定の処理を施す撮像素子回路基板の一例である。
【００２３】
図３〜図５に示すカメラモニタ１２０は、表示用画像データが示す画像等を表示する。表示用画像データは、図３に示すカメラコントローラー１４０で作成される。表示用画像データは、画像処理された画像データや、カメラシステム１の撮影条件、操作メニュー等を画像として表示するためのデータ等である。カメラモニタ１２０は、動画像も静止画像も選択的に表示可能である。カメラモニタ１２０は、液晶ディスプレイを有する。
【００２４】
さらに、図３及び図５に示すように、カメラモニタ１２０の表面にはタッチパネル１３６が一体的に固定されており、カメラモニタ１２０の表示する各種情報または操作表示を、指でタッチして操作することが可能である。
【００２５】
カメラモニタ１２０は、カメラ本体１００に設けられている。本実施形態では、カメラ本体１００の背面に配置されているが、カメラ本体のどこに配置されていてもよい。カメラモニタ１２０は、カメラ本体１００に対する表示面の角度が変更可能である。具体的には、図１及び図５に示すように、カメラ本体１００は、カメラ本体１００とカメラモニタ１２０との間にヒンジ１２１を有している。ヒンジ１２１は、カメラ本体１００の左端に配置されている。ヒンジ１２１は、具体的には第１のヒンジと第２のヒンジを有する。具体的には第１のヒンジを中心に、カメラモニタ１２０は左右方向に回転可能である。また、第２のヒンジを中心に、上下方向にも回転可能である。
【００２６】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
【００２７】
ＥＶＦ１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、図４に示すように、画像等を表示するＥＶＦ用液晶モニタ１８１と、ＥＶＦ用液晶モニタの表示を拡大するＥＶＦ用光学系１８２と、使用者が目を近づける接眼窓１８３とを有する。
【００２８】
なお、ＥＶＦ１８０もまた、表示部の一例である。カメラモニタ１２０と異なる点は、使用者が目を近づけて見るためのものであることである。構造上の相違点は、ＥＶＦ１８０が接眼窓１８３を有するのに対してカメラモニタ１２０は接眼窓１８３を有しない点である。
【００２９】
また、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
【００３０】
図１及び図５に示す各種操作部１３１〜１３６は、使用者による操作を受け付ける。各種操作部は、それぞれ、レリーズ釦１３１、電源スイッチ１３２、操作部材１３３、回転操作部材１３４、十字キー１３５、タッチパネル１３６を含む。レリーズ釦１３１は使用者によるシャッター操作を受け付ける。電源スイッチ１３２は、カメラ本体１００の上面に設けられた回転式のダイアルスイッチである。第１の回転位置で電源がＯＦＦとなり、第２の回転位置で電源がＯＮとなる。回転操作部材１３４、１３７は、エンドレスの回転操作部材であり、様々な機能の選択やパラメータの変更をカメラモニタ１２０やＥＶＦ１８０の表示を見ながら選択可能である。例えば、回転操作部材１３４によって撮影モード（人物撮影モード、風景撮影モード等）を選択すること可能であり、回転操作部材１３７によってシャッタースピード等を選択することが可能である。十字キー１３５は、各種機能を割り当てられたキーであってプッシュスイッチである。タッチパネル１３６は、カメラモニタ１２０に表示した各種機能やパラメータを指でタッチすることによって変更可能な操作部材である。
【００３１】
操作部材１３３は、カメラ本体１００の上面でレリーズ釦１３１の周りに設けられた回転式のレバースイッチであり、非操作時は中立位置を保持するよう付勢されており、使用者の回転操作によりレリーズ釦を略中心として、左右に回転操作することができる。さらに、操作部材１３３はレリーズ釦１３１の周りに設けられているため、一般的なズームレンズを内蔵したコンパクトデジタルカメラのズーム操作部材に似て、使用者がレリーズ釦１３１を押す人差し指で操作し易い位置にある。しかしながら、レンズ交換式デジタルカメラにおいては、装着されるレンズが電動式ズームレンズであるとは限らない。したがって、操作部材１３３にズーム操作部材としての機能だけを与えると、手動ズームレンズや単焦点レンズ（図７及び図８において後述するレンズユニット３００、４００参照）を装着したとき、操作部材１３３は機能しない操作部材となってしまう。
【００３２】
そこで本実施の形態では、図６に示すように、カメラモニタ１２０に複数の機能を示すマーク等を表示させ、タッチパネル１３６によって操作部材１３３の機能を選択するようにしている。図６は、本実施の形態１におけるカメラ本体１００の背面図である。操作部材１３３に割り当てることが可能な機能として、本実施の形態ではズーム機能、色補正、およびボケ量を挙げられている。虫眼鏡マーク１２３を選択することにより、操作部材１３３にズーム機能が割り当てられる。色補正マーク１２４を選択することで、操作部材１３３により撮影画像の色調を撮影前に変更することが可能であり、ボケマーク１２５を選択することで、操作部材１３３により背景や前景のボケ量をコントロールすることが可能である。さらに本実施の形態では、ＬＥＤ表示器１２２を設け、選択した機能に対応するＬＥＤ表示器１２２が点灯するよう制御が行われる。図６では、虫眼鏡マーク１２３に対応するＬＥＤが点灯した状態を示している。表示する機能は、本実施の形態に限らず、様々な機能を表示し、割り当てることが可能なことは言うまでもない。
【００３３】
なお、各種操作部は、使用者による操作を受け付けることができればよく、ボタン、レバー、ダイアル、タッチパネル等を含む。又、操作部材１３３は、カメラ本体操作部の一例に対応する。
【００３４】
図３に示すカメラコントローラー１４０は、ＣＭＯＳイメージセンサー１１０等の各部を含むカメラ本体１００全体を制御する。カメラコントローラー１４０は、電源１６０からの電力の供給が停止した状態でシャッターユニット１９０が開口状態を保持するようにシャッターユニット１９０を制御する。また、カメラコントローラー１４０は、各種操作部１３１〜１３６からの指示を受け付ける。カメラコントローラー１４０は、レンズユニット２００を制御するための信号を、ボディマウント４１及びレンズマウント７１を介して、レンズコントローラー２４０に送信する。そして、レンズユニット２００の各部を間接的に制御する。すなわち、カメラコントローラー１４０は、カメラシステム１全体を制御する。また、カメラコントローラー１４０は、ボディマウント４１及びレンズマウント７１を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はカメラ本体制御部の一例である。カメラコントローラー１４０は、メイン回路基板１４２上に配置されている。
【００３５】
図３に示すカードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００３６】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、内部に格納する画像データ又は画像ファイルを出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルを伸張などして表示用画像データを生成する。
【００３７】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、内部に格納する動画データ又は動画ファイルを出力できる。メモリーカード１７１から出力された動画データ又は動画ファイルは、カメラコントローラー１４０で画像処理される。例えば、カメラコントローラー１４０は、メモリーカード１７１から取得した動画データ又は動画ファイルを伸張して表示用動画データを生成する。なお、メモリーカード１７１は記憶部の一例である。記憶部は、メモリーカード１７１のようにカメラ本体１００に着脱可能なものでもよく、カメラ本体１００に固定されているものでもよい。
【００３８】
図３に示す電源１６０は、カメラシステム１で使用するための電力を供給する。電源１６０は、例えば、乾電池であってもよいし、充電池であってもよい。また、電源コード等により外部から供給される電力をカメラシステム１に供給するものであってもよい。
【００３９】
ボディマウント４１は、着脱可能なレンズユニット２００を保持する。ボディマウント４１は、レンズユニット２００のレンズマウント７１と機械的及び電気的に接続可能である。ボディマウント４１とレンズマウント７１とを介して、カメラ本体１００とレンズユニット２００との間で、データおよび／または制御信号を送受信可能である。具体的には、ボディマウント４１とレンズマウント７１とは、カメラコントローラー１４０とレンズコントローラー２４０との間で、データおよび／または制御信号を送受信する。ボディマウント４１は、電源１６０から受けた電力を、レンズマウント７１を介してレンズユニット２００全体に供給する。
【００４０】
具体的には、ボディマウント４１は、図２及び図４に示すようにボディマウント接点保持部１５２を含む。ボディマウント４１は、レンズユニット２００のレンズマウント７１との光軸周りの回転位置関係により、レンズマウント７１と嵌合している状態または嵌合していない状態となる。すなわち、ボディマウント４１とレンズマウント７１との回転位置関係が第１の状態である場合には、レンズマウント７１はボディマウント４１に嵌合しておらず、レンズマウント７１はボディマウント４１に対して光軸方向に移動可能である。また、第１の状態でレンズマウント７１をボディマウント４１に挿入し、レンズマウント７１をボディマウント４１に対して回転させると、レンズマウント７１はボディマウント４１に嵌合する。このときのボディマウント４１とレンズマウント７１との回転位置関係が第２の状態である。回転位置関係が第２の状態であるとき、ボディマウント４１はレンズユニット２００を機械的に保持する。そのため、ボディマウント４１は強度が要求される。ボディマウント４１は、金属で形成されているのが好ましい。ボディマウント接点保持部１５２は、複数の電気接点１５３を有する。電気接点１５３は、レンズマウント７１が有する電気接点２５３とそれぞれ電気的に接続している。そして、ボディマウント４１の電気接点１５３とレンズマウント７１の電気接点２５３とによりボディマウント４１とレンズマウント７１とは電気的に接続可能である。また、ボディマウント４１の電気接点１５３とレンズマウント７１の電気接点２５３とにより電力、データおよび／または制御信号を送受信する。ボディマウント接点保持部１５２は、ボディマウント４１とシャッターユニット１９０との間に配置されている。ボディマウント接点保持部１５２は、開口部を有する。
【００４１】
図２〜図４に示すシャッターユニット１９０は、いわゆるフォーカルプレーンシャッターである。シャッターユニット１９０は、ボディマウント４１とＣＭＯＳイメージセンサー１１０との間に配置される。シャッターユニット１９０は、開口状態を機械的に保持することができる。そして、シャッターユニット１９０は、カメラ本体１００の電源が停止した状態で機械的に開口状態が保持されるようにカメラコントローラー１４０により制御される。機械的に保持するとは、電気の力を使わずに開口状態を保持するという概念である。例えば、物と物とを係合するものや、永久磁石によって保持するものである。
【００４２】
図４に示す光学フィルタ１１４は、被写体光の高周波成分を取り除く光学的ローパスフィルタの機能を有する。具体的には、光学フィルタ１１４は、レンズユニット２００により結像する被写体像をＣＭＯＳイメージセンサー１１０の画素のピッチよりも荒い解像となるように分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。さらに光学フィルタ１１４は、波長が約６５０ｎｍ以上の近赤外光をカットするためのＩｒカットフィルタの機能も併せ持つ。
【００４３】
図４に示す振動板１１５は、ＣＭＯＳイメージセンサー１１０よりも前に配置され、ＣＭＯＳイメージセンサー１１０への埃の付着を防ぐ。また、振動板１１５自身に付着した埃を振動により振り落とす。具体的には、振動板１１５は、透明の薄い板状部材が圧電素子を介して他の部材に固定された構成である。そして、圧電素子に交流電圧を印加して圧電素子を振動させ、板状部材を振動させる。
【００４４】
図４に示すように、カメラ本体１００は、内蔵フラッシュユニット１９１と、フラッシュを装着するためのホットシュー１６１を備えている。又、図１に示すように、カメラ本体１００の前面には、内部補助光源１９２が配置されている。内部補助光源１９２は、オートフォーカスを行う際に被写体が暗い場合に光を照射するための光源である。
【００４５】
[１−３：レンズユニットの構成] 
＜１−３−１：電動ズームにより光学像の倍率を変更可能なレンズユニット＞
図３に示すように、レンズユニット２００は、光学系とレンズコントローラー２４０とレンズマウント７１と絞りユニット２６０とレンズ筒２９０と操作部材２１３（図１参照）とを備える。レンズユニット２００の光学系はズームレンズ２１０、ＯＩＳレンズ２２０、および、フォーカスレンズ２３０を含む。光学系は、レンズ筒２９０の内部に収容されている。
【００４６】
図３に示すズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚又は複数枚のレンズで構成される。ズームレンズ２１０は、光学系の第１レンズ群Ｌ１と第２レンズ群Ｌ２とを含む。ズームレンズ２１０は、光学系の光軸ＡＸ（図４参照）と平行な方向に移動することにより焦点距離を変化させる。ズームレンズ２１０の外周には、ズーム駆動環２１４が設けられている。ズーム駆動環２１４の内面にはカム溝が形成されており、ズームレンズ２１０の第１レンズ郡Ｌ１、第２レンズ郡Ｌ２それぞれに設けた不図示のカムフォロアと係合し、ズーム駆動環２１４の回転駆動によって、前述の焦点距離変化を可能とする。ズーム駆動環２１４は、焦点距離を駆動するズーム駆動部の一例であり、駆動後の位置に応じて焦点距離が決定される。
【００４７】
図３に示すズームモータ２１１は、ズーム駆動環２１４と連結されており、ズームモータ２１１の回転力をズームレンズ２１０に伝え、ズームレンズ２１０を光学系の光軸ＡＸ方向に沿って移動させる。一例として、ズーム駆動環２１４はカム機構を有し、ズーム駆動環２１４の回転動作をズームレンズ２１０の直進動作に変換する。ズームモータ２１１とズーム駆動環２１４による構成は、ズームレンズ駆動手段の一例である。ズームモータ２１１は、ＤＣモータ、ステッピングモータ、超音波モータなど回転駆動力を発生するものを全て含むものである。
【００４８】
相対位置検出器２１２及び原点位置検出器２１５は、ズームレンズ２１０の駆動状態を示す信号を生成するエンコーダである。相対位置検出器２１２は、例えば、ズームモータ２１１の回転量を検出するための回転スリット板とフォトインタラプタによって構成されている。原点位置検出器２１５は、ズーム駆動環２１４の原点位置を検出する原点検出器である。原点位置検出器２１５は、例えばフォトセンサによって構成されている。レンズコントローラー２４０は、原点位置検出器２１５からの信号によりズーム駆動環２１４が原点にあることを認識する。このとき、レンズコントローラー２４０は、内部に設けたカウンタ２４３の値をリセットする。このカウンタ２４３は、相対位置検出器２１２から出力されるフォトインタラプタ信号の極値をカウントする。そして、ズームレンズ２１０を光軸ＡＸと平行な第１の方向に移動するときにフォトインタラプタ信号の極値が検出されると、カウントを「＋１」する。また、ズームレンズ２１０を光軸ＡＸと平行な第１の方向と反対の第２の方向に移動するときにフォトインタラプタ信号の極値が検出されると、カウントを「−１」する。このようにして、レンズコントローラー２４０は、絶対位置である原点位置からの相対位置を検出することにより、ズーム駆動環２１４の原点位置からの回転量を介して、ズームレンズ２１０の光軸ＡＸ方向の位置を把握可能である。相対位置検出器２１２及び原点位置検出器２１５は、ズームレンズ位置検出手段の一例である。ズームレンズ位置検出手段は、ズームレンズの位置を直接検出するものでもよく、ズームレンズに連動する機構部材の位置を検出するものでもよい。
【００４９】
例えば、ズームモータ２１１は、Ｌ１用のズームモータとＬ２用のズームモータを備えた構成であってもよい。すなわち、スクリューおよびナット機構などでズームレンズ２１０に動力を伝え、ズームレンズ２１０のＬ１を光軸ＡＸ方向の位置に移動し、さらにＬ２用のズームモータを配置して、同様にスクリューおよびナット機構などで光軸ＡＸ方向の位置に移動する構成であってもよい。
【００５０】
図３に示すＯＩＳレンズ２２０は、レンズユニット２００の光学系で形成される被写体像のぶれを補正するためのレンズである。具体的には、ＯＩＳレンズ２２０は、カメラシステム１のぶれによって生じる被写体像のぶれを補正する。ＯＩＳレンズ２２０は、カメラシステム１のぶれを相殺する方向に移動することにより、ＣＭＯＳイメージセンサー１１０と被写体像との相対的なぶれを小さくする。具体的には、ＯＩＳレンズ２２０は、カメラシステム１のぶれを相殺する方向に移動することにより、ＣＭＯＳイメージセンサー１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸ＡＸに垂直な面内でＯＩＳレンズ２２０を駆動する。
【００５１】
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果及びジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００５２】
なお、ＯＩＳレンズ２２０は、ぶれ補正部の一例である。カメラシステム１のぶれによって生じる被写体像のぶれを補正する手段として、ＣＣＤからの画像データに基づいて補正した画像データを生成する電子式ぶれ補正を適用してもよい。また、カメラシステム１のぶれによって生じるＣＭＯＳイメージセンサー１１０と被写体像との相対的なぶれを小さくする手段として、ＣＭＯＳイメージセンサー１１０を光学系の光軸ＡＸと垂直な面内で駆動する構成としてもよい。
【００５３】
フォーカスレンズ２３０は、光学系がＣＭＯＳイメージセンサー１１０上に形成する被写体像のフォーカス状態を変化させるためのレンズである。フォーカスレンズ２３０は、１枚又は複数枚のレンズで構成される。フォーカスレンズ２３０は、光学系の光軸ＡＸと平行な方向に移動することにより被写体像のフォーカス状態を変化させる。
【００５４】
フォーカスモータ２３３は、レンズコントローラー２４０の制御に基づいて、フォーカスレンズ２３０が光学系の光軸ＡＸに沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との光軸ＡＸ方向の相対距離を変更可能である。フォーカスレンズ２３０とフォーカスモータ２３３とは第２レンズ群Ｌ２とともに光軸ＡＸ方向に移動する。従って、ズーム動作により第２レンズ群Ｌ２が光軸ＡＸ方向に移動すると、フォーカスレンズ２３０およびフォーカスモータ２３３も光軸ＡＸ方向に移動する。また、第２レンズ群Ｌ２が光軸ＡＸ方向に静止している状態でも、フォーカスモータ２３３は第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。フォーカスモータ２３３は、フォーカスレンズ駆動手段の一例である。
【００５５】
図３に示す相対位置検出器２３１及び原点位置検出器２３２は、フォーカスレンズ２３０の駆動状態を示す信号を生成するエンコーダである。相対位置検出器２３１は、磁気スケールと磁気センサーとを有し、磁気の変化を検出し磁気の変化に応じた信号を出力する。磁気センサーは、例えばＭＲセンサーである。原点位置検出器２３２は、第２レンズ群Ｌ２に対するフォーカスレンズ２３０の原点位置を検出する原点検出器である。原点位置検出器２３２は、例えばフォトセンサによって構成されている。レンズコントローラー２４０は、原点位置検出器２３２からの信号によりフォーカスレンズ２３０が原点にあることを認識する。このとき、レンズコントローラー２４０は、内部に設けたカウンタ２４３の値をリセットする。このカウンタ２４３は、相対位置検出器２３１から出力される信号により磁気変化の極値をカウントする。そして、フォーカスレンズ２３０を光軸ＡＸと平行な第１の方向に移動するときに磁気変化の極値が検出されると、カウントを「＋１」する。また、フォーカスレンズ２３０を光軸ＡＸと平行な第１の方向と反対の第２の方向に移動するときに磁気変化の極値が検出されると、カウントを「−１」する。このようにして、レンズコントローラー２４０は、絶対位置である原点位置からの相対位置を検出することにより、第２レンズ群Ｌ２に対するフォーカスレンズ２３０の光軸ＡＸ方向の位置を把握可能である。また、上述のとおり、レンズコントローラー２４０は、第２レンズ群Ｌ２のレンズユニット２００内での光軸ＡＸ方向の位置を把握可能である。従って、レンズコントローラー２４０は、フォーカスレンズ２３０のレンズユニット２００内での光軸ＡＸ方向の位置を把握可能である。相対位置検出器２３１及び原点位置検出器２３２は、フォーカスレンズ位置検出手段の一例である。フォーカスレンズ位置検出手段は、フォーカスレンズの位置を直接検出するものでもよく、フォーカスレンズに連動する機構部材の位置を検出するものでもよい。
【００５６】
図３に示す絞りユニット２６０は、光学系を透過する光の量を調整する光量調整部材である。絞りユニット２６０は、光学系を透過する光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
【００５７】
図１及び図３に示す操作部材２１３は、レンズユニット２００の表面に設けられたスライド式のレバースイッチであり、非操作時は中立位置を保持するよう付勢されており、使用者のスライド操作により、レンズ筒２９０の円周方向にスライドさせることができる。通常、操作部材２１３はレンズユニット２００の電動ズーム操作に割り当てられている。すなわち、使用者が操作部材２１３を操作すると、レンズコントローラー２４０がこれを検知し、操作量に応じてズームレンズ２１０を駆動させる。これにより、使用者の操作に応じた変倍操作を行うことができる。また、装着されたカメラ本体１００のカメラコントローラー１４０からの制御により、操作部材２１３の機能を別の機能に割り当てるようにしてもよい。すなわち、レンズコントローラー２４０は、カメラコントローラー１４０からの制御により、操作部材２１３の操作に応じて他の制御を行うようにしてもよい。例えば、フォーカスレンズ２３０の駆動を制御することにより、使用者が操作部材２１３によりマニュアルフォーカス操作できるようにしてもよい。
【００５８】
図３に示すレンズコントローラー２４０は、カメラコントローラー１４０からの制御信号に基づいて、ＯＩＳ用ＩＣ２２３やフォーカスモータ２３３などのレンズユニット２００全体を制御する。また、相対位置検出器２１２、ＯＩＳ用ＩＣ２２３、相対位置検出器２３１、原点位置検出器２３２などから信号を受信して、カメラコントローラー１４０に送信する。レンズコントローラー２４０は、カメラコントローラー１４０との送受信を、レンズマウント７１及びボディマウント４１を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。具体的には、フラッシュメモリ２４２には、レンズユニット２００に関する各種情報（レンズ情報）が格納されている。このレンズ情報には、例えば、レンズユニット２００のメーカー名、製造年月日、型番、ＩＤ、レンズコントローラー２４０にインストールされているソフトのバージョンおよびファームアップに関する情報などのレンズユニット２００を特定するための型式に関する情報（レンズ特定情報）、レンズユニット２００がＯＩＳレンズ２２０等の像ぶれを補正するための手段を搭載しているか否かに関する情報、像ぶれを補正するための手段を搭載している場合は、その型番に関する情報、感度などの検出性能に関する情報、最大補正可能角度などの補正性能に関する情報（レンズ側補正性能情報）、像ぶれ補正を行うためのソフトのバージョンに関する情報などが含まれている。さらに、レンズ情報には、ぶれ補正部の駆動に必要な消費電力に関する情報（レンズ側消費電力情報）およびぶれ補正部の駆動方式に関する情報（レンズ側駆動方式情報）も含まれている。尚、フラッシュメモリ２４２は、カメラコントローラー１４０から送信された情報を格納可能である。
【００５９】
図３に示すように、レンズマウント７１は、電気接点２５３を有する。ボディマウント４１の電気接点１５３とレンズマウント７１の電気接点２５３とによりボディマウント４１とレンズマウント７１とは電気的に接続可能である。また、ボディマウント４１の電気接点１５３とレンズマウント７１の電気接点２５３とにより電力、データおよび／または制御信号を送受信する。
【００６０】
＜１−３−２：手動により光学像の倍率を変更可能なレンズユニット＞
図７は、手動によりズーム可能なレンズユニット３００とカメラ本体１００を備えたカメラシステム２の概略断面図である。図７に示すようにレンズユニット３００は、レンズユニット２００と比較して、ズームモータ２１１、相対位置検出器２１２、及び原点位置検出器２１５、操作部材２１３が設けられていない。このレンズユニット３００はレンズ筒２９０を回転させることより、第１レンズ郡Ｌ１と第２レンズ郡Ｌ２の距離を変更し、ズームを行うことが出来る。
【００６１】
＜１−３−３：光学像の倍率が固定であるレンズユニット＞
図８は、単焦点レンズであるレンズユニット４００とカメラ本体１００を備えたカメラシステム３の概略断面図である。図９に示すようにレンズユニット４００は、単焦点であるため、図７のレンズユニット３００と比較して、ズームレンズ２１０が設けられておらず、レンズ郡４１０が設けられている。
【００６２】
[２：ズーム操作]
[２―１：カメラ本体への交換レンズの着脱]
カメラ本体１００のボディマウント４１には、レンズロックピン４１ｂ（図３参照）が突出／押込可能に設けられている。このレンズロックピン４１ｂは、レンズユニット２００が装着されている状態のときレンズマウント７１のロックピン嵌合穴７１ｂに嵌合してレンズユニット２００の回転を阻止する。更に、レンズロックピン４１ｂは突出状態を保持するよう、レンズロックピン付勢バネ（不図示）によって、突出方向に付勢されている。
【００６３】
図１〜図３に示すレンズ着脱操作部材４１ｃは、突出／押込可能に設けられている。レンズ着脱操作部材４１ｃはレンズロックピン４１ｂ（図３参照）に機械的に連結されている。レンズユニット２００を外す場合、ユーザーは、レンズ着脱操作部材４１ｃをカメラ本体１００の内部に押し込むように押圧する。すると、レンズ着脱操作部材４１ｃは、レンズ着脱操作部材を付勢する付勢バネ（不図示）の付勢力に抗して押し込まれ、レンズロックピン４１ｂが押し込まれる。その結果、レンズロックピン４１ｂとレンズマウント７１のロックピン嵌合穴７１ｂの係合が解除され、レンズユニット２００がカメラ本体１００に対して回転可能となる。ユーザーは、ボディマウント４１とレンズマウント７１との回転位置関係が第１の状態となった位置でレンズユニット２００をカメラ本体１００から外す。また、ボディマウント４１とレンズマウント７１との回転位置関係が第１の状態となった位置で、レンズロックピン４１ｂは突出状態に復帰する。
【００６４】
図３に示すレンズ着脱操作検知スイッチ４１ｅは、レンズ着脱操作部材４１ｃが操作されたこと、および、レンズロックピン４１ｂが押し込まれたことを検知可能である。具体的には、レンズ着脱操作部材４１ｃが押し込まれたとき、または、レンズロックピン４１ｂが押し込まれたとき、レンズ着脱操作検知スイッチ４１ｅが操作される。レンズユニット２００がカメラ本体１００から外されると、レンズロックピン４１ｂは突出状態に復帰し、レンズ着脱操作検知スイッチ４１ｅの操作が解かれる。
【００６５】
レンズユニット２００をカメラ本体１００に装着する場合、ユーザーは、ボディマウント４１とレンズマウント７１との回転位置関係が第１の状態となった位置から第２の状態となった位置までレンズユニット２００を回転する。レンズロックピン４１ｂは、第１の状態で突出状態であるが、第１の状態から第２の状態へレンズユニット２００が回転する動作によってレンズマウント７１に当接して押し込まれた状態となり、第２の状態になると、レンズマウント７１のロックピン嵌合穴７１ｂに嵌合し、突出状態となる。レンズユニット２００を装着する場合、このレンズロックピン４１ｂの動作に連動して、レンズ着脱操作検知スイッチ４１ｅが操作される。
以上のように、レンズ着脱操作検知スイッチ４１ｅは、レンズユニット２００の着脱操作を行ったことを検知できる。
【００６６】
[２―２：カメラ本体のレンズユニットの認識]
レンズ着脱操作検知スイッチ４１ｅが操作され、レンズの着脱を検知すると、カメラコントローラー１４０はレンズコントローラー２４０との間で、データおよび／または制御信号の送受信を開始する。このとき、装着されたレンズユニットを特定するための型式に関する情報（レンズ特定情報）から、レンズユニット２００のように電動ズームに対応しているか、手動ズーム（例えば、レンズユニット３００）か、単焦点レンズ（レンズユニット４００）かを、カメラコントローラー１４０が識別する。
【００６７】
レンズユニット２００が装着されている場合、レンズユニット２００は電動ズームに対応しているため、カメラ本体１００の操作部材１３３による、電動ズーム操作が可能となる。したがって、図６に示したように、使用者がタッチパネル１３６を操作して虫眼鏡マーク１２３を選択した場合、カメラコントローラー１４０がこれを検知して、操作部材１３３に電動ズーム機能を割り当てる。この後で使用者が操作部材１３３を操作すると、カメラコントローラー１４０がこれを検知し、操作量に応じてレンズコントローラー２４０にズームレンズ２１０の駆動を指示する。レンズコントローラー２４０は、カメラコントローラー１４０からの指示に応じてズームレンズ２１０を駆動する。これにより、使用者による操作部材１３３の操作によって電動ズームによる変倍操作が可能となる。このとき、レンズユニット２００の操作部材２１３によっても変倍操作は可能であるが、さらにレンズコントローラー２４０に対して、レンズユニット２００の操作部材２１３によるマニュアルフォーカス操作を許可するよう指示を出してもよい。そうすれば、使用者は操作部材１３３を操作することによって電動ズーム操作が可能となるだけでなく、操作部材２１３を操作することによってマニュアルフォーカス操作をすることが可能となる。
【００６８】
尚、操作部材２１３に割り当てる機能がない場合、レンズユニット２００の電動ズームを操作する操作部材１３３がカメラ本体１００に設けられているため、レンズユニット２００の操作部材２１３は設けられていなくても良い。
【００６９】
なお、上記図１〜６で説明したレンズユニット２００は電動ズームが可能なレンズユニットであるが、レンズユニット２００が電動ズームに対応しない、すなわち手動ズーム（レンズユニット３００）もしくは単焦点レンズ（レンズユニット４００）の場合、カメラ本体１００の操作部材１３３による、電動ズーム操作は不可能である。しかし、ＣＭＯＳイメージセンサー１１０に結像した被写体像の一部を連続的に切り出す、いわゆる電子ズーム機能は可能である。そこで、図６に示したように、使用者が虫眼鏡マーク１２３を選択した場合、操作部材１３３の操作によって電子ズームを許可する。具体的には、使用者が操作部材１３３を操作すると、カメラコントローラー１４０がこれを検知し、操作量に応じて画像データの電子ズーム処理における倍率を変更する。これにより、使用者による操作部材１３３の操作によって電子ズームによる変倍操作が可能となる。同様に、電動ズームに対応している実施の形態１のレンズユニット２００が装着された場合でも、電動ズーム端（望遠端）に到達した後電子ズームを許可することは可能である。
【００７０】
[３：効果等]
以上のように、本実施の形態において、カメラシステム１は、レンズユニット２００と、ボディマウント４１、操作部材１３３、及びカメラコントローラー１４０を有するカメラ本体１００とを備える。レンズユニット２００は、電動により光学像の倍率を変更可能である。ボディマウント４１は、レンズユニット２００を着脱可能である。操作部材１３３は中立可能である。カメラコントローラー１４０は、レンズユニット２００がボディマウント４１に装着された状態において、操作部材１３３の操作に応じて電動により光学像の倍率を変更するようレンズユニット２００を制御する。
【００７１】
これにより、電動ズーム可能な交換レンズであるレンズユニット２００を装着されたとき、カメラ本体１００に設けられた操作部材１３３を操作することによりレンズユニット２００の電動ズームの操作を行うことが出来る。そのため、電動ズームを行う際に、カメラ本体の機能が損なわれない。すなわち、他の機能が割り当てられた既存の操作部材を用いないため、カメラ本体の機能が損なわれない。又、中立可能な操作部材１３３を用いることで、ユーザーにとってズーム調整が感覚的に行いやすい。
【００７２】
更に、カメラ本体１００は、ＣＭＯＳイメージセンサー１１０を有する。ＣＭＯＳイメージセンサー１１０は、レンズユニット２００による光学像を電気信号に変換して画像データを生成する。カメラコントローラー１４０は、画像データの一部を切り出す電子ズーム処理を行うことが可能である。カメラコントローラー１４０は、操作部材１３３の操作に応じて、電動により光学像の倍率を変更するようレンズユニット２００を制御し、レンズユニット２００が光学望遠端に達した後、操作部材１３３の操作に応じて、画像データの電子ズーム処理の倍率を連続的に変化させるよう制御する。
【００７３】
これにより、操作部材１３３を操作することで、レンズユニット２００が電動ズームの光学望遠端に達した後、電子ズームによって更にズーム操作を行うことが出来るため、電動ズームから電子ズームへの切り替えなどをユーザーが行う必要がなくユーザーの利便性を向上することが出来る。
【００７４】
又、本実施の形態において、カメラシステム２は、レンズユニット３００又はレンズユニット４００と、ボディマウント４１、操作部材１３３、及びＣＭＯＳイメージセンサー１１０と、カメラコントローラー１４０を有するカメラ本体１００とを備える。レンズユニット３００は、手動により前記光学像の倍率を変更可能である。レンズユニット４００は、光学像の倍率が固定である。ボディマウント４１は、レンズユニット３００又はレンズユニット４００を着脱可能である。操作部材１３３は中立可能である。ＣＭＯＳイメージセンサー１１０は、レンズユニット３００又はレンズユニット４００による光学像を電気信号に変換して画像データを生成する。カメラコントローラー１４０は、レンズユニット３００又はレンズユニット４００がボディマウント４１に装着された状態において、画像データの一部を切り出す電子ズーム処理を行うことが可能である。又、カメラコントローラー１４０は、操作部材１３３の操作に応じて、画像データの電子ズーム処理の倍率を連続的に変化させるよう制御する。
【００７５】
これにより、電動ズームが不可能な交換レンズであるレンズユニット３００、４００が装着されたとき、カメラ本体１００に設けられた操作部材１３３を操作することにより電子ズームの操作を行うことが出来る。そのため、電子ズームを行う際に、カメラ本体の機能が損なわれない。すなわち、他の機能が割り当てられた既存の操作部材を用いないため、カメラ本体の機能が損なわれない。
【００７６】
又、本実施の形態において、カメラ本体１００は、タッチパネル１３６と、カメラモニタ１２０とを備える。カメラモニタ１２０に光学像の倍率変更を含む複数の機能を示すマークが表示可能である。タッチパネル１３６の操作に応じて、複数の機能のうち１つが選択可能である。選択された機能が中立可能な操作部材１３３に割り当てられる。
【００７７】
これにより、機能を選択することが可能となり、電動ズーム不可能な手動ズームレンズや単焦点レンズを装着したときでも操作部材１３３に他の機能を割り当てられることが出来るため、操作部材１３３が無駄にならない。又、電動ズームや電子ズームだけでなく、他の操作にも割り当てることが出来、利便性が向上する。又、カメラモニタ１２０上にタッチパネル１３６を設けることにより、省スペース化を図ることが可能になるとともに、他の機能をより選択しやすくなる。
【００７８】
又、本実施の形態において、カメラ本体１００は、電動により光学像の倍率を変更可能なレンズユニット２００を装着可能であって、ボディマウント４１と、操作部材１３３と、カメラコントローラー１４０とを備える。ボディマウント４１はレンズユニット２００を着脱可能である。操作部材１３３は中立可能である。カメラコントローラー１４０は、レンズユニット２００がボディマウント４１に装着された状態においてレンズユニット２００を制御し、操作部材１３３の操作に応じて、電動により光学像の倍率を変更するようレンズユニット２００を制御する。
【００７９】
これにより、電動ズーム可能な交換レンズであるレンズユニット２００を装着されたとき、カメラ本体１００に設けられた操作部材１３３を操作することによりレンズユニット２００の電動ズームの操作を行うことが出来る。そのため、電動ズームを行う際に、カメラ本体の機能が損なわれない。すなわち、他の機能が割り当てられた既存の操作部材を用いないため、カメラ本体の機能が損なわれない。又、中立可能な操作部材１３３を用いることで、ユーザーにとってズーム調整が感覚的に行いやすい。
【００８０】
更に、カメラ本体１００には、手動により光学像の倍率を変更可能なレンズユニット３００又は光学像の倍率が固定であるレンズユニット４００を装着可能であり、カメラ本体１００はＣＭＯＳイメージセンサー１１０を備える。ＣＭＯＳイメージセンサー１１０は、レンズユニット３００又はレンズユニット４００による光学像を電気信号に変換して画像データを生成する。カメラコントローラー１４０は、レンズユニット３００又はレンズユニット４００がマウントに装着された状態において、画像データの一部を切り出す電子ズーム処理を行うことが可能であり、操作部材１３３の操作に応じて画像データの電子ズーム処理の倍率を連続的に変化させる。
【００８１】
これにより、電動ズーム可能な交換レンズが装着された際には、操作部材１３３により電動ズームが行われ、電動ズーム不可能な交換レンズが装着された際には、操作部材１３３により電子ズームを行うことが出来る。そのため、電動ズーム不可能な交換レンズが装着された際にも操作部材１３３が無駄にならず有効に使用することが出来る。
【００８２】
又、本実施の形態において、カメラ本体１００は、手動により光学像の倍率を変更可能なレンズユニット３００又は光学像の倍率が固定であるレンズユニット４００を装着可能であり、ボディマウント４１、操作部材１３３、及びＣＭＯＳイメージセンサー１１０と、カメラコントローラー１４０を備える。ボディマウント４１は、レンズユニット２００を着脱可能である。操作部材１３３は中立可能である。ＣＭＯＳイメージセンサー１１０は、レンズユニット３００又はレンズユニット４００による光学像を電気信号に変換して画像データを生成する。カメラコントローラー１４０は、レンズユニット３００又はレンズユニット４００がボディマウント４１に装着された状態において、画像データの一部を切り出す電子ズーム処理を行うことが可能である。又、カメラコントローラー１４０は、操作部材１３３の操作に応じて、画像データの電子ズーム処理の倍率を連続的に変化させるよう制御する。
【００８３】
これにより、電動ズームが不可能な交換レンズであるレンズユニット３００、４００が装着されたとき、カメラ本体１００に設けられた操作部材１３３を操作することにより電子ズームの操作を行うことが出来る。そのため、電子ズームを行う際に、カメラ本体の機能が損なわれない。すなわち、他の機能が割り当てられた既存の操作部材を用いないため、カメラ本体の機能が損なわれない。
【００８４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
そこで、以下、他の実施の形態を例示する。
【００８５】
（１）図６では、カメラモニタ１２０に複数の機能を表示させ、タッチパネル１３６によって操作部材１３３の機能を選択するようにし、ＬＥＤ表示器１２２で選択した機能を点灯表示した。しかし、カメラモニタ１２０は液晶表示器であるため、様々な表示形態を行うことができる。そこで、選択された機能を示すためにＬＥＤ表示器１２２を設けるのではなく、各種表示マーク１２３〜１２５のうち、選択されたマーク以外の透明度や彩度を変更することで選択されたマークを強調表示してもよい。
【００８６】
（２）実施の形態１のようにタッチパネル１３６を持たないカメラにおいても同様の機能を達成するための他の実施の形態を図９に示す。カメラモニタ１２０への各種機能マーク１２３〜１２５、およびＬＥＤ表示器１２２は図６と同様に表示、装備している。しかし、図９のカメラにはタッチパネルが装備されていないため、カメラモニタ１２０に表示した各種機能マークを指で選択することが出来ない。そこで、選択スイッチ１２６を設ける。選択スイッチ１２６はいわゆるプッシュスイッチ構成であり、選択スイッチ１２６を操作する毎にカメラコントローラー１４０がこれを検知して選択する機能を順に変更していく。例えば、選択スイッチ１２６を操作する毎に、選択する機能が機能マーク１２３→１２４→１２５と移行し、さらに操作すると１２３へ戻るようにしている。したがって、カメラモニタ１２０の表示とＬＥＤ表示器の点灯によって、使用者には簡単かつわかりやすく操作部材１３３の機能を選択することが可能である。
【００８７】
また、その他の実施の形態１のようにＬＥＤ表示器１２２をなくし、各種表示マーク１２３〜１２５のうち、選択されたマーク以外の透明度や彩度を変更することで選択されたマークを強調表示してもよいことは言うまでもない。
【００８８】
（３）実施の形態１では、カメラ本体操作部の一例として操作部材１３３を説明した。カメラ本体操作部は中立可能であればよい。したがって、カメラ本体操作部は操作部材１３３に限定されない。ただし、カメラ本体操作部として操作部材１３３を用いれば、レリーズ釦１３１の周りに設けられているため、省スペース化を図ることが出来る。また、操作部材１３３のような回転操作可能な構成に限らず、例えば、図１０に示す操作部材１３８のような構成であってもよい。図１０に示す操作部材１３８は、左右方向に直線移動可能（矢印参照）で、非操作時は中立位置（直線の中間位置）に保持されるように付勢されている。
【００８９】
＜付記＞
（１）
電動により光学像の倍率を変更可能なレンズユニットと、
前記レンズユニットを着脱可能なマウントと、
少なくとも１つの往復動可能なカメラ本体操作部を有するカメラ本体と、
前記カメラ本体操作部の機能を選択する選択手段と、
前記レンズユニットが前記マウントに装着された状態において、前記レンズユニットを  制御する制御部と、を備えたカメラシステムであって、
前記制御部は、
前記カメラ本体操作部にズーム機能が割り当てられたとき、前記カメラ本体操作部の操作に応じて、電動により光学像の倍率を変更するよう前記レンズユニットを制御する、
カメラシステム。
【００９０】
（２）
手動により光学像の倍率を変更可能なレンズユニットと、
前記レンズユニットを着脱可能なマウントと、
前記レンズユニットにより結像した光学像を電気信号に変換する撮像素子を有するカメラ本体と、
前記カメラ本体には、少なくとも１つの往復動可能なカメラ本体操作部と、
前記カメラ本体操作部の機能を複数の機能から選択する選択手段と、
前記レンズユニットが前記マウントに装着された状態において、前記カメラ本体を制御する制御部と、を備えたカメラシステムであって、
前記制御部は、
前記カメラ本体操作部の操作に応じて、前記撮像素子に結像された光学像の一部を連続的に切り出す電子ズームにより光学像の倍率を変更するよう前記カメラ本体を制御する、
カメラシステム。
【００９１】
（３）
所定の焦点距離を持つレンズユニットと、
前記レンズユニットを着脱可能なマウントと、
前記レンズユニットにより結像した光学像を電気信号に変換する撮像素子を有するカメラ本体と、
前記カメラ本体には、少なくとも１つの往復動可能なカメラ本体操作部と、
前記カメラ本体操作部の機能を複数の機能から選択する選択手段と、
前記レンズユニットが前記マウントに装着された状態において、前記カメラ本体を制御する制御部と、を備えたカメラシステムであって、
前記制御部は、
前記カメラ本体操作部の操作に応じて、前記撮像素子に結像された光学像の一部を連続的に切り出す電子ズームにより光学像の倍率を変更するよう前記カメラ本体を制御する、
カメラシステム。
【００９２】
（４）
被写体を撮影するカメラシステムに用いられ、前記被写体を撮像する撮像部と、電動ズームレンズユニットまたは、手動ズームレンズユニットまたは、単焦点レンズユニットを着脱可能なマウントと、前記レンズユニットのうちいずれかが前記マウントに装着された状態において、前記レンズユニットの種類を検出するレンズユニット判定部と、複数の変倍方法を制御する制御部を有するカメラ本体であって、
前記レンズユニットの光学像の倍率を変更できるズーム操作部を備える、
カメラ本体。
【００９３】
（５）
被写体を撮影するカメラシステムに用いられ、前記被写体を撮像する撮像部と、前記撮
像部の撮像動作を制御する本体制御部と、
レンズユニットを着脱可能なマウントと、
少なくとも１つの往復動可能なカメラ本体操作部と、
前記カメラ本体操作部の機能を複数の機能から選択する選択手段と、
を有するカメラ本体であって、
前記選択手段によって選択された機能を表示する表示手段を備える、
カメラ本体。
【００９４】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９５】
また、上述の実施の形態は、本開示における技術を例示するためのものであるから、特許請求の範囲またはその均等の範囲において種々の変更、置き換え、付加、省略などを行うことができる。
【産業上の利用可能性】
【００９６】
本開示は、カメラシステムに適用できる。具体的には、デジタルスチルカメラやムービーなどに適用可能である。
【符号の説明】
【００９７】
１  カメラシステム
１００  カメラ本体
４１  ボディマウント
４１ｂ  レンズロックピン
４１ｃ  レンズ着脱操作部材
４１ｅ  レンズ着脱操作検知スイッチ
７１  レンズマウント
７１ｂ  ロックピン嵌合穴
１１０  ＣＭＯＳイメージセンサー
１１１  ＡＤコンバーター
１１２  タイミング発生器
１１３  ＣＭＯＳ回路基板
１１４  光学フィルタ
１１５  振動板
１２０  カメラモニタ
１２１  ヒンジ
１２２  ＬＥＤ表示器
１２６  選択スイッチ
１３１  レリーズ釦
１３２  電源スイッチ
１３３  操作部材
１３４  回転操作部材
１３５  十字キー
１３６  タッチパネル
１４０  カメラコントローラー
１４１、２４１  ＤＲＡＭ
１４２  メイン回路基板
１５２  ボディマウント接点保持部
１５３、２５３  電気接点
１６０  電源
１６１  ホットシュー
１７０  カードスロット
１７１  メモリーカード
１８０  電子ビューファインダー（ＥＶＦ）
１８１  ＥＶＦ用液晶モニタ
１８２  ＥＶＦ用光学系
１８３  接眼窓
１９０  シャッターユニット
１９１  内蔵フラッシュユニット
１９２  内部補助光源
２００  レンズユニット
２１０  ズームレンズ
２１１  ズームモータ
２１２  相対位置検出器
２１３  操作部材
２１４  ズーム駆動環
２１５  原点位置検出器
２２０  ＯＩＳレンズ
２２１  アクチュエータ
２２２  位置検出センサー
２２３  ＯＩＳ用ＩＣ
２３０  フォーカスレンズ
２３１  相対位置検出器
２３２  原点位置検出器
２３３  フォーカスモータ
２４０  レンズコントローラー
２４２  フラッシュメモリ
２９０  レンズ筒
３００  レンズユニット
４００  レンズユニット
【図１】
2013101313.tif 000003
【図２】
2013101313.tif 000004
【図３】
2013101313.tif 000005
【図４】
2013101313.tif 000006
【図５】
2013101313.tif 000007
【図６】
2013101313.tif 000008
【図７】
2013101313.tif 000009
【図８】
2013101313.tif 000010
【図９】
2013101313.tif 000011
【図１０】
2013101313.tif 000012